(57)【要約】【課題】簡易な構成で転写された記録媒体の帯電状態を安定化させ、この記録媒体を安定的に転写ベルトから剥離させる。【解決手段】。電極ロール５６は、２次転写ロール５５の下流側に設けられ、転写された用紙Ｐを除電する。電極ロール５６は、用紙Ｐと接触する外周面が、バックアップロール５２の中心と２次転写ロール５５の中心を結ぶ中心線ＬにおけるニップＮから伸びた法線Ｈと接するように配置されている。このように配置された電極ロール５６は、グラウンドＧに接地され、帯電されている用紙Ｐを除電する。また、２次転写ロール５５と電極ロール５６とは、相互の外周面が押圧するように接触しており、この２次転写ロール５５は、この電極ロール５６を介して接地されている。【選択図】図２
2014134618.tif 000002
【特許請求の範囲】
【請求項１】
バイアス電圧が印加されているバックアップロールと１又は複数の搬送ロールとで張架されて回転する転写ベルトと、
前記バックアップロールと対向し、前記バックアップロールとの間にトナー像が形成された前記転写ベルトを、挟み込みニップを形成し、前記トナー像を、前記転写ベルトとの間に搬送された記録媒体に、転写する転写ロールと、
前記転写ロールの下流側に設けられ、前記記録媒体と接触して前記記録媒体を除電する電極ロールとを備えた
ことを特徴とする転写装置。
【請求項２】
前記転写ロールは、前記電極ロールを介して接地されている
ことを特徴とする請求項１に記載の転写装置。
【請求項３】
前記電極ロールは、前記バックアップロールの中心と前記転写ロールの中心を結ぶ線における前記ニップからの法線と外周面とが接するように配置されている
ことを特徴とする請求項１または請求項２に記載の転写装置。
【請求項４】
前記転写ロールは、前記電極ロールに押圧されている
ことを特徴とする請求項１〜請求項３のいずれか一項に記載の転写装置。
【請求項５】
前記電極ロールは、金属で形成されている
ことを特徴とする請求項１〜請求項４のいずれか一項に記載の転写装置。
【請求項６】
請求項１〜請求項５のいずれか一項に記載の転写装置を有し、供給された記録媒体に画像を形成することを特徴とする画像形成装置。
【発明の詳細な説明】
【技術分野】
【０００１】
本発明は、転写装置及び画像形成装置に関する。
【背景技術】
【０００２】
複写機、プリンターなどの画像形成装置では、感光体に形成されたトナー像を、バックアップロール、搬送ローラなどに張架された転写ベルトに転写し、この転写されたトナー像を、記録媒体へ転写する転写装置が用いられている。このような転写装置を用いる画像形成装置は、例えば、ベルトの張り回しが自由に行えることで、小型化が可能となる。
【０００３】
この転写装置では、転写された記録媒体に、転写時に印加するバイアス電圧に起因する異常放電による帯電が生じ、ディフェクト、すなわち画質欠陥の原因となることがある。このような帯電に対して、この転写装置では、例えば、除電部材で転写された記録媒体を除電し、この記録媒体を転写ベルトから剥離するようにしている（特許文献１〜３参照）。
【先行技術文献】
【特許文献】
【０００４】
【特許文献１】特開２００４−３５４７７７号公報
【特許文献２】特開２００３−０３５９９７号公報
【特許文献３】特開２００６−２５１６６４号公報
【発明の概要】
【発明が解決しようとする課題】
【０００５】
上記の転写された記録媒体に対して除電部材を用いて除電する転写装置では、記録媒体の転写後の方向が安定せず、記録媒体に異常放電が発生し易い構成となっている。また、このような除電部材は、記録媒体と非接触の状態で除電しており、装置として複雑なものとなっている。
【０００６】
本発明は、簡易な構成で、転写された記録媒体の帯電状態を安定化させ、記録媒体を安定的に転写ベルトから剥離させる転写装置及びこれを用いた画像形成装置の提供を目的とする。
【課題を解決するための手段】
【０００７】
請求項１に記載の発明は、バイアス電圧が印加されているバックアップロールと１又は複数の搬送ロールとで張架されて回転する転写ベルトと、前記バックアップロールと対向し、前記バックアップロールとの間にトナー像が形成された前記転写ベルトを、挟み込みニップを形成し、前記トナー像を、前記転写ベルトとの間に搬送された記録媒体に、転写する転写ロールと、前記転写ロールの下流側に設けられ、前記記録媒体と接触して前記記録媒体を除電する電極ロールとを備えたことを特徴とする転写装置である。
【０００８】
請求項２に記載の発明は、前記転写ロールは、前記電極ロールを介して接地されていることを特徴とする請求項１に記載の転写装置である。
【０００９】
請求項３に記載の発明は、前記電極ロールは、前記バックアップロールの中心と前記転写ロールの中心を結ぶ線における前記ニップからの法線と外周面とが接するように配置されていることを特徴とする請求項１または請求項２に記載の転写装置である。
【００１０】
請求項４に記載の発明は、前記転写ロールは、前記電極ロールに押圧されていることを特徴とする請求項１〜請求項３のいずれか一項に記載の転写装置である。
【００１１】
請求項５に記載の発明は、前記電極ロールは、金属で形成されていることを特徴とする請求項１〜請求項４のいずれか一項に記載の転写装置である。
【００１２】
請求項６に記載の発明は、請求項１〜請求項５のいずれか一項に記載の転写装置を有し、供給された記録媒体に画像を形成することを特徴とする画像形成装置である。
【発明の効果】
【００１３】
請求項１に記載の発明によれば、本構成を有しない場合に比して、トナー像を転写された記録媒体に対して、簡易な構成で除電することができ、転写ベルトから安定的に剥離することができる。
請求項２に記載の発明によれば、転写ロールの接地が電極ロールを介して行なわれることで、簡易な構成とすることができ、また、転写ロールの表面の電位を安定させることができる。
請求項３に記載の発明によれば、電極ロールの外周面を、記録媒体の搬送方向と接触するように配置することができ、効果的な除電ができる。
請求項４に記載の発明によれば、電極ロールが転写ロールを押圧することで、転写ロールの表面の電位をより安定なものにできる。
請求項５に記載の発明によれば、電極ロールを金属にすることで、除電を有効に行うことができる。
請求項６に記載の画像形成装置によれば、請求項１〜請求項５のいずれか一項に記載の転写装置を有しない場合と比して、簡易な構成で、記録媒体への転写の品質が向上でき、安定した画像形成ができる。
【図面の簡単な説明】
【００１４】
【図１】実施形態の転写装置を用いた画像形成装置を示す概略構成図である。
【図２】実施形態の転写装置を示す模式図である。
【発明を実施するための形態】
【００１５】
（実施形態）
以下、本発明の実施形態について図面を参照して説明する。図１は、本発明の転写装置を用いた画像形成装置の概略構成図である。実施形態の画像形成装置１は、制御部２、感光体１０、帯電部２０、露光部３０、現像部４０、転写装置５０、定着部６０、クリーニング部７０、及び用紙収納部８０を有し、供給される画像情報に基づいて記録媒体である用紙Ｐなどに画像を形成する。
【００１６】
制御部２は、ＣＰＵ（Ｃｅｎｔｒａｌ  Ｐｒｏｃｅｓｓｉｎｇ  Ｕｎｉｔ）などの演算装置やメモリを備え、画像形成装置１の各構成の動作を制御する。
【００１７】
感光体１０は、静電潜像を保持するための有機感光材料で形成された感光層を有する円筒状の図１に示す矢印方向に回転する回転体である。
【００１８】
帯電部２０は、感光体１０の表面に接触して回転する帯電ロールなどを用いて、予め定められた帯電電圧を印加する。帯電部２０には、ブラシなどを用いて感光体１０と接触して帯電させる接触帯電方式、又はコロナ放電を利用して感光体１０を帯電させる非接触帯電方式のものがある。
【００１９】
露光部３０は、帯電部２０で帯電された感光体１０の表面に、画像データに応じた光を照射して、電位差に基づく潜像電位からなる静電潜像を形成する。この静電潜像は、感光体１０の回転にともない現像部４０が配置されている位置まで移動する。
【００２０】
現像部４０は、回転する現像ロール４１を有し、この現像ロール４１に吸着されているトナーが感光体１０に移行する。すなわち、このトナーは、感光体１０に形成されている静電潜像と帯電したトナーとの電位差によって、感光体１０の表面に移動する。このようにして、感光体１０にトナー像の形成が行われ、このトナー像は、感光体１０の回転にともない転写装置５０が配置されている位置まで移動する。
【００２１】
転写装置５０は、転写ベルト５１、バックアップロール５２、搬送ロール５３、１次転写ロール５４、本発明の転写ロールとしての２次転写ロール５５、及び電極ロール５６を有し、搬送ロール９１で搬送されてきた用紙Ｐに、転写ベルト５１に形成されているトナー像を転写する。トナー像が転写された用紙Ｐは、搬送ロール９１で定着部６０に搬送される。転写装置５０の詳細な説明は後述する。
【００２２】
定着部６０は、熱源を有する定着ロール６１と、この定着ロール６１と対向して設けられている加圧ロール６２とを有し、用紙Ｐの未定着のトナー像を加熱及び加圧して定着させる。定着部６０でトナー像が定着された用紙Ｐは、搬送ロール９１で搬送され収容される。
【００２３】
クリーニング部７０は、用紙Ｐにトナー像が転写された後に、感光体１０の表面に残留しているトナーなどを除去する。用紙収納部８０では、複数の用紙Ｐが収納されている。用紙Ｐは、用紙収納部８０から給紙ロール９０により取り出され、搬送ロール９１によって、転写装置５０に搬送される。
【００２４】
なお、実施形態の画像形成装置１は、説明の便宜上、現像部４０が、１色のトナーを現像する構成であるが、例えば、ロータリー現像方式を用いてもよい。このロータリー現像方式では、例えば、イエロー
、マゼンタ、シアン、ブラックの各色が現像され感光体１０に、これら各色がトナー像として形成される。また、実施形態の画像形成装置１は、複数の感光体で構成されているタンデム現像方式を用いたフルカラーの画像形成装置１であってもよい。ここでは、ロータリー現像方式及びタンデム現像方式に係る詳細な説明は、省略する。
【００２５】
次に、実施形態の転写装置５０について説明する。図２は転写装置５０の構成を示している。上記のとおり、転写装置５０は、転写ベルト５１、バックアップロール５２、搬送ロール５３、１次転写ロール５４、２次転写ロール５５、電極ロール５６及びトナー像が転写された後の用紙Ｐの搬送のためのガイド部材５７を有する。
【００２６】
転写ベルト５１は、ポリカーボネートなどの樹脂にカーボンブラックなどの帯電防止剤を含有した材料で形成され、バックアップロール５２と搬送ロール５３とで張架されている。バックアップロール５２は、バイアス用電源Ｖからバイアス電圧が印加されている。搬送ロール５３は、例えば、駆動源を有し、転写ベルト５１を回転させている。
【００２７】
転写ベルト５１には、感光体１０に形成されているトナー像が転写される。１次転写ロール５４は、転写ベルト５１の回転にともない従動回転しながら、この転写ベルト５１を、バネなどの部材を用いて押圧している。すなわち、１次転写ロール５４のこの押圧により、感光体１０に形成されているトナー像が、転写ベルト５１に転写される。
【００２８】
２次転写ロール５５は、例えば、軸が金属で、表面が導電性の弾性を有する部材で形成され、バックアップロール５２と対向するように設けられている。すなわち、２次転写ロール５５は、バックアップロール５２との間に転写ベルト５１を挟み込み、転写ベルト５１を押圧し、この転写ベルト５１との間にニップＮを形成する。
【００２９】
用紙Ｐは、ニップＮに挟まれるように搬送され、転写ベルト５１の外周に形成されているトナー像を転写される。すなわち、図２に示すように、転写ベルト５１に形成されているトナー像の極性と同じ極性のバイアス電圧が、バイアス用電源Ｖからバックアップロール５２に印加されている。このバイアス電圧と２次転写ロール５５の電圧との電位差により、転写ベルト５１の外周面に形成されているトナー像が、用紙Ｐに転写される。
【００３０】
次に、電極ロール５６について説明する。図２に示すとおり、電極ロール５６は、例えば、金属で形成され、２次転写ロール５５の下流側に設けられている。この電極ロール５６は、バイアス電圧により帯電している転写後の用紙Ｐを除電する。
【００３１】
電極ロール５６は、用紙Ｐと接触するように配置されている。電極ロール５６と用紙Ｐが接触していることで、用紙Ｐの除電が容易となり、搬送が安定する。電極ロール５６は、例えば、用紙Ｐと接触する外周面が、バックアップロール５２の中心と２次転写ロール５５の中心とを結ぶ線である中心線ＬにおけるニップＮの交点から伸びた法線Ｈと接するように配置されている。
【００３２】
電極ロール５６は、グラウンドＧに接地されている。電極ロール５６は、このように接地されていることで、用紙Ｐを除電する。また、電極ロール５６と２次転写ロール５５とは、相互の外周面が接触しており、電極ロール５６が、２次転写ロール５５を押圧している。このような押圧により、２次転写ロール５５表面が、電極ロール５６を介して安定した電位で接地される。
【００３３】
以上が実施形態の転写装置５０の説明である。転写装置５０によれば、除電機能を有する簡易な構成である電極ロール５６を有することで、転写された用紙Ｐの帯電を、安定的に除電する。
【００３４】
すなわち、この電極ロール５６は、回転しながら用紙Ｐと接触し、均一で確実な除電をする。また、電極ロール５６の吸引力で用紙Ｐが、転写ベルトに張り付くことを回避している。このように用紙Ｐが、電極ロール５６に吸引され接触することで、トナー像が転写された後の用紙Ｐの搬送のためのガイド部材５７の精度にかかわらず、用紙Ｐの除電とともに搬送も安定したものとなる。
【００３５】
また、２次転写ロール５５は、電極ロール５６を介して接地されており、安定した電位を得ているといえる。すなわち、このような接地の２次転写ロール５５は、抵抗設計が、形状や材質に依存されないことで、簡易なものとなり、また、電界の方向が一定とならないことより、耐久性の向上を図れる。また、このような構成の転写装置５０を用いた画像形成装置１は、良好な転写性を有し、画質の向上が図れる。
【００３６】
（他の実施形態）
以上が実施形態の転写装置５０及びこれを用いた画像形成装置１についての説明であるが、本発明は上記の実施形態に限定されるものではなく、他の実施形態も可能である。以下、他の実施形態について説明する。
【００３７】
実施形態の電極ロール５６は、金属で形成されているが、これに限定されない。電極ロール５６は、例えば、導電性物質が添加されている樹脂で形成されてもよい。
【００３８】
実施形態の転写ベルト５１は、バックアップロール５２と搬送ロール５３の２軸で張架されているが、これに限定されない。転写ベルト５１は、例えば、３軸で張架される構成であってもよい。
【００３９】
電極ロール５６は、接地されている構成であるが、これに限定さない。例えば、電極ロール５６は、バックアップロール５２のバイアス電圧とは、異なる電圧のバイアス電圧を印加するような構成でもよい。
【００４０】
２次転写ロール５５は、電極ロール５６を介して接地されているが、これに限定されない。例えば、転写ロール５５は、軸部などから直接に接地される構成であってもよい。
【符号の説明】
【００４１】
１  画像形成装置
２  制御部
１０  感光体
２０  帯電部
３０  露光部
４０  現像部
４１現像ロール
５０  転写装置
５１  転写ベルト
５２  バックアップロール
５３  搬送ロール
５４  １次転写ロール
５５  ２次転写ロール
５６  電極ロール
５７  ガイド部材
６０  定着部
６１  定着ロール
６２  加圧ロール
７０  クリーニング部
８０  用紙収納部
９０  給紙ロール
９１  搬送ロール
Ｐ  用紙
Ｇ  グラウンド
Ｖ  バイアス電圧用電源
Ｎ  ニップ
Ｌ  中心線
Ｈ  法線
【図１】
2014134618.tif 000003
【図２】
2014134618.tif 000004